(57)【特許請求の範囲】
【請求項１】
内部に収容される収容部材の先端に取り付けたペン先を先端開口部より突出してなり、かつ把持部を有する軸体に、キャップを、乗り越え嵌合により装着せしめる筆記具であって、前記軸体のペン先側に小径部を設け、この小径部に把持部を形成するとともに前記把持部の位置より後方側にキャップを乗り越え嵌合せしめる嵌合突部を全周に設け、また、前記把持部を軟質のエラストマーにより形成すると共に、前記軸体の前端に前記把持部の前端よりも小径な後端部を有する先金を設け、さらに、前記全周の嵌合突部の後方に前記小径部よりも大径な取付け端部を形成すると共に、それら嵌合突部と取付け端部との間に全周凹部を形成し、その取り付け端部に、その取り付け端部と略同径なキャップの開口端部を位置させ、また、前記把持部を、その把持部のほぼ中央部から前方に向かって徐々に拡径せしめることによって、その把持部の前方に膨出部を形成したことを特徴とする筆記具。
【請求項２】
前記小径部の先方側に当接する内方突部をキャップ内奥に形成したことを特徴とする請求項１に記載の筆記具。
【発明の詳細な説明】
【０００１】
【発明の属する技術分野】
本発明は、ペン先を先端開口部より突出してなり、把持部を有する軸体に、キャップを、乗り越え嵌合により装着せしめる筆記具に関し、特に、把持部の位置に対する乗り越え嵌合突部の配置に関する。
【０００２】
【従来の技術】
従来、内部に収容される収容部材の先端に取り付けたペン先を先端開口部より突出してなり、かつ把持部を有する軸体に、キャップを、乗り越え嵌合により装着せしめる筆記具が周知である。軸体に形成もしくは取り付けされた把持部の先方にキャップが装着せしめられるものが多く知られており、また、軸体に形成された把持部を覆ってキャップが装着せしめられるものも知られている。
上記従来技術の筆記具はいずれも、キャップを乗り越え嵌合せしめる嵌合突部は、軸体に設けた把持部の位置より先方の、ペン先側に形成配置されている。
【０００３】
【発明が解決しようとする課題】
キャップを乗り越え嵌合せしめる嵌合突部が把持部よりもペン先側に形成配置されている場合、軸体に形成された把持部の位置は、嵌合突部の形成配置分だけ軸体の長手後方位置にならざるを得ないものである。
筆記具の把持の位置についていえば、近年、軸体の、よりペン先側に近い位置を把持して筆記することが使用者に好まれる傾向にあるが、嵌合突部を把持部の前方（ペン先側）に配置した場合は、把持の指が嵌合突部にかかってしまい把持感を損ねてしまうという問題があった。また、嵌合突部の後方の把持部を把持して筆記しようとする場合は筆記しにくいという問題があった。
【０００４】
【課題を解決するための手段】
本発明は、上記問題点を解決するためになされたものであり、内部に収容される収容部材の先端に取り付けたペン先を先端開口部より突出してなり、かつ把持部を有する軸体に、キャップを、乗り越え嵌合により装着せしめる筆記具であって、前記軸体のペン先側に小径部を設け、この小径部に把持部を形成するとともに前記把持部の位置より後方側にキャップを乗り越え嵌合せしめる嵌合突部を全周に設け、また、前記把持部を軟質のエラストマーにより形成すると共に、前記軸体の前端に前記把持部の前端よりも小径な後端部を有する先金を設け、さらに、前記全周の嵌合突部の後方に前記小径部よりも大径な取付け端部を形成すると共に、それら嵌合突部と取付け端部との間に全周凹部を形成し、その取り付け端部に、その取り付け端部と略同径なキャップの開口端部を位置させ、また、前記把持部を、その把持部のほぼ中央部から前方に向かって徐々に拡径せしめることによって、その把持部の前方に膨出部を形成したことを要旨とする。
【０００５】
【実施例】
添付図面に基づき実施例を説明する。図１において、金属や樹脂製の先金１と、前軸２と後軸３とからなる外装体には、先端にボールペンチップ４を、継ぎ手パイプ５によって透明なポリプロピレン樹脂製のインキタンク６に連結固定したリフィールが収容されている。リフィールの後端は、後軸３の底部に形成したリブ３ａによって長手方向位置を規制されて位置決めされている。
前軸２と後軸３とは、透明なアクリル樹脂やポリカーボネート樹脂製などの射出成形品であり、前軸２には、ボールペンチップ４側に延びる小径部２ａが設けられており、この小径部２ａに、２材質成形により、スチレン系エラストマーやポリオレフィン系エラストマーなどのグリップ７が固着されている。尚、本例では、グリップ７は適宜位置に孔７ａを有しており、この孔７ａに前軸の突起２ｂが嵌められた状態になっている。
【０００６】
図１の筆記具の外観図である図２において、前記前軸２には、固着されたグリップ７の位置より後方側に、キャップ（後述する）を乗り越え嵌合させる全周リブ２ｃが形成されている。また、前軸２の後軸３への取付け端部２ｄは前記小径部２ａよりも大径に形成されており、この端部２ｄと前記全周リブ２ｃの間は全周凹部２ｅになっている。尚、全周リブ２ｃの代わりに断続するリブを小径部２ｃの周面に設けてもよいものである。
【０００７】
前出の図２の前軸２にキャップ８を乗り越え嵌合により装着した状態を図３に示し、説明する。キャップ８の開口端部８ａには３方乃至４方に嵌合リブ８ｂが形成されており、この嵌合リブ８ｂが前記全周リブ２ｃを乗り越えてキャップ８が前軸２に嵌合装着されている。
キャップ８の内奥には、リブ８ｃに挟持かつ抜け止めされた状態で軟質のペン先密閉部材９が取り付けられており、このペン先密閉部材にボールペンチップ４の先端部が当接乃至は没入することによってチップの密閉が保持されている。また、この当接乃至は没入によりボールペンチップ４の先端部のキャップ８内における横ぶれ防止がなされている。更に、キャップ８の天部（図示下方）にはインキ色表示部材９、側部にはクリップ１０が取り付けられている。
【０００８】
図３のＡ部拡大図である図４に基づき説明する。前記キャップ８の開口端部８ａの内径寸法（ａとする）と前軸２の端部２ｄの外径寸法（ｂとする）は、ａ−ｂ≦０．０２〜０．３となるように設定されている。キャップ８の嵌合リブ８ｂと前軸２の全周リブ２ｃの嵌合と相俟ってキャップ装着の横ぶれ防止が図られているのである。また、キャップ８に形成された複数の嵌合リブ８ｂの内接円直径寸法はグリップ７の外径寸法よりも大径となるように設定されている。
尚、キャップ８の内孔８ｄの内径寸法（ｄとする）と、全周リブ２ｃに隣接する把持部分の端部の外径寸法（ｅとする）を、ｄ−ｅ≦０．０２〜０．３となるように設定してキャップ装着の横ぶれを防止してもよい。
【０００９】
次に、使用について説明する。筆記する際には、グリップ７の、チップ４側に近い位置を自然に把持して筆記することができる。良好な把持感と筆記感を得ることができるものである。
【０００１０】
添付図５に基づき変形例を説明する。前述の実施例と同様の部分については説明を省略する。
本例は、キャップ８の内奥の複数のリブ８ｄを先金１の後端部乃至はグリップ７の前端部まで延設して当接せしめ、キャップ装着の横ぶれ防止をなすようにしたものである。本例によれば、ペン先密閉部材９を必要としないタイプのボールペンであってもボールペンチップ４の先端部のキャップ８内における横ぶれ防止とキャップ装着の安定をなすことができる。
【００１１】
以上のほかにも本発明の要旨を逸脱しないかぎりで種々なせる。ボールペンのリフィールを収容した筆記具を例示したが、シャープペンシルの中軸セットを収容した筆記具にも本発明を適用することができるし、化粧材を内蔵した塗布具などにも本発明を適用することができるものである。
【００１２】
【発明の効果】
本発明の筆記具は、内部に収容される収容部材の先端に取り付けたペン先を先端開口部より突出してなり、かつ把持部を有する軸体に、キャップを、乗り越え嵌合により装着せしめる筆記具であって、前記軸体のペン先側に小径部を設け、この小径部に把持部を形成するとともに前記把持部の位置より後方側にキャップを乗り越え嵌合せしめる嵌合突部を全周に設け、また、前記把持部を軟質のエラストマーにより形成すると共に、前記軸体の前端に前記把持部の前端よりも小径な後端部を有する先金を設け、さらに、前記全周の嵌合突部の後方に前記小径部よりも大径な取付け端部を形成すると共に、それら嵌合突部と取付け端部との間に全周凹部を形成し、その取り付け端部に、その取り付け端部と略同径なキャップの開口端部を位置させ、また、前記把持部を、その把持部のほぼ中央部から前方に向かって徐々に拡径せしめることによって、その把持部の前方に膨出部を形成したので、把持部を軸体のペン先側に配置することができ、ペン先側に近い位置を把持して筆記する使用者の要望に好適な、把持感と筆記感に優れた筆記具を提供できるものである。
【図面の簡単な説明】
【図１】  本発明の実施例を示す縦断面図。
【図２】  図１の筆記具の外観図。
【図３】  図２の前軸にキャップを乗り越え嵌合により装着した状態を示す図。
【図４】  図３のＡ部拡大図。
【図５】  変形例を示す図（キャップのみ縦断面図示）。
【符号の説明】
１    先金
２    前軸
２ａ  小径部
２ｂ  突起
２ｃ  全周リブ
２ｄ  端部
２ｅ  全周凹部
３    後軸
３ａ  リブ
４    ボールペンチップ
５    継ぎ手パイプ
６    インキタンク
７    グリップ
７ａ  孔
７ｂ  端部
８    キャップ
８ａ  開口端部
８ｂ  嵌合リブ
８ｃ  リブ
８ｄ  内孔
８ｅ  リブ
９    ペン先密閉部材
１０  インキ色表示部材
１１  クリップ
【図１】
0004699587.tif 000002
【図２】
0004699587.tif 000003
【図３】
0004699587.tif 000004
【図４】
0004699587.tif 000005
【図５】
0004699587.tif 000006